(57)【要約】【課題】タバコを止めたい喫煙者に喫煙支援をする装置を提供する。【解決手段】演算装置と表示部と操作部を少なくとも有し、プログラムを起動すると喫煙欲求をそらすためのメッセージが表示されることを特徴とする禁煙支援装置であり、禁煙者の喫煙欲求は恒常的に一定なものではなく、一時的に高まることが知られている。そこで、喫煙欲求が高まったときに、禁煙者は操作部１を操作し、メッセージ要求を行なう。演算装置２は表示部３にメッセージを表示することで、禁煙者の注意を喫煙欲求からそらすことができる。【選択図】図１
2006190013.tif 000002
【特許請求の範囲】
【請求項１】
演算装置と表示部と操作部を少なくとも有し、プログラムを起動すると喫煙欲求をそらすためのメッセージが表示されることを特徴とする禁煙支援装置。
【請求項２】
プログラムのメッセージが複数用意され、表示されるメッセージがランダムに選択されることを特徴とする請求項１記載の禁煙支援装置。
【請求項３】
メッセージにタバコを「吸う」／「吸わない」を選択する選択手段を有することを特徴とする請求項１記載の禁煙支援装置。
【請求項４】
メッセージを見たあとで、１ステップでプログラムを終了することができることを特徴とする請求項１記載の禁煙支援装置。
【請求項５】
選択した「吸う」／「吸わない」の情報が蓄積されることを特徴とする請求項３に記載の禁煙支援装置。
【請求項６】
選択肢を「メッセージが有効なので吸わない」／「メッセージが無効だが吸わない」の２つにしたことを特徴とする請求項５記載の禁煙支援装置。
【請求項７】
選択肢を「吸う」「メッセージが有効なので吸わない」／「メッセージが無効だが吸わない」の３つにしたことを特徴とする請求項５記載の禁煙支援装置。
【請求項８】
請求項６ないし７の情報により、禁煙者に提示するメッセージを選択することを特徴とする請求項５記載の禁煙支援装置。
【請求項９】
禁煙者が選択した「吸う」／「吸わない」の情報を統計的に表示できるようにしたことを特徴とする請求項５に記載の禁煙支援装置。
【請求項１０】
なんらかの通信手段を持ち、サーバからメッセージの供給を受けられることを特徴とする請求項１記載の禁煙支援装置。
【請求項１１】
選択した「吸う」／「吸わない」の情報がサーバに蓄積されることを特徴とする請求項５に記載の禁煙支援装置。
【請求項１２】
サーバに蓄積された複数の禁煙者の情報を統計的に表示できることを特徴とする請求項５記載の禁煙支援装置。
【請求項１３】
パーソナルコンピュータを実態とする請求項１に記載の禁煙支援装置。
【請求項１４】
携帯電話を実態とする請求項１に記載の禁煙支援装置。
【請求項１５】
個人認証装置を有し、個人認証を行なうことでプログラムの起動がなされることを特徴とする請求項１に記載の禁煙支援装置。
【発明の詳細な説明】
【技術分野】
【０００１】
本発明は禁煙を志望する禁煙者を支援するための禁煙支援装置および装置に搭載されたプログラムに関する。
【背景技術】
【０００２】
タバコをやめる禁煙を阻害する要因は２つあり、１つは薬物であるニコチンの中毒症状、もう１つは精神的な弱さである。ここでは、本発明に関連する精神的な問題について述べる。
【０００３】
禁煙者の喫煙欲求は恒常的に同じレベルで推移しているわけではなく、吸いたい欲求が高まるときとそうでないときがある。それゆえに、吸いたい欲求が高まるときに、何らかの手段で喫煙欲求をそらすことが禁煙のための有力な手段である。
【０００４】
従来の手法としては、「インターネット禁煙マラソン」のように吸いたくなったときにするべきことを自分で見つけておく方法や、携帯より医師に連絡してその旨告げて励ましをもらうものなどがあった（例えば、非特許文献１参照）。
【非特許文献１】９９％禁煙できる本、阿部眞弓、三笠書房、２００１、Ｐ１３７
【発明の開示】
【発明が解決しようとする課題】
【０００５】
しかしながら従来例において、例えば自分でみつけておく方法においては、本人の努力が十分でなく、前々から見つけておくことをしなかったり、しても広いバリエーションの選択肢を用意できないために、有効でないという問題がある。また、医師に連絡して励ましをもらう手段に関しては、医師が常に待機できないという問題もあり、また、人的手段であるがゆえに人件費の問題が発生する。
【０００６】
本発明はこれらの問題を解決し、少ない費用で常に有効な手段を用意しておくことができる禁煙支援装置の提供を目的とするものである。
【課題を解決するための手段】
【０００７】
本発明は、対話型の禁煙支援装置に関するものである。
【０００８】
請求項１の発明においては、演算装置と表示部と操作部を少なくとも有し、プログラムを起動すると喫煙欲求をそらすためのメッセージを表示する禁煙支援装置を提供するものである。
【０００９】
請求項２の発明においては、プログラムのメッセージが複数用意され、表示されるメッセージがランダムに選択されることで、バラエティに富んだメッセージを表示する禁煙支援装置を提供するものである。
【００１０】
請求項３の発明においては、メッセージにタバコを「吸う」／「吸わない」を選択する選択手段を有することで喫煙者の意思を高める禁煙支援装置を提供するものである。
【００１１】
請求項４の発明においては、メッセージを見たあとで、１ステップでプログラムを終了することができるようにすることで、扱いが簡易な禁煙支援装置を提供するものである。
【００１２】
請求項５の発明においては、選択した「吸う」／「吸わない」の情報が蓄積することで、情報の活用の可能な禁煙支援装置を提供するものである。
【００１３】
請求項６の発明においては、選択肢を「メッセージが有効なので吸わない」／「メッセージが無効だが吸わない」の２つにすることで、メッセージの有効性を検証可能にした禁煙支援装置を提供するものである。
【００１４】
請求項７の発明においては選択肢を「吸う」「メッセージが有効なので吸わない」／「メッセージが無効だが吸わない」の３つにすることで、メッセージの有効性を検証可能にした禁煙支援装置を提供するものである。
【００１５】
請求項８の発明においては、請求項６ないし７の情報により、禁煙者に提示するメッセージを選択可能にし、より有効なメッセージを送る禁煙支援装置を提供するものである。
【００１６】
請求項９の発明においては、禁煙者が選択した「吸う」／「吸わない」の情報を統計的に表示できるようにしたことで喫煙者に、より強い喫煙意思を持たせる禁煙支援装置を提供するものである。
【００１７】
請求項１０の発明においては、なんらかの通信手段を持ち、サーバからメッセージの供給を受けられるようにすることで、新たなメッセージの追加が可能な禁煙支援装置を提供するものである。
【００１８】
請求項１１の発明においては、選択した「吸う」／「吸わない」の情報がサーバに蓄積することで、禁煙状況を第三者によりチェックすることが可能な禁煙支援装置を提供するものである。
【００１９】
請求項１２の発明においては、サーバに蓄積された複数の禁煙者の情報を統計的に表示できるようにすることで、ことを特徴とする請求項５記載の禁煙支援装置。
【００２０】
請求項１３の発明においては、パーソナルコンピュータを実態とすることで、実現可能で使い勝手のよい禁煙支援装置を提供するものである。
【００２１】
請求項１４の発明においては、携帯電話を実態とすることで、実現可能で使い勝手のよい禁煙支援装置を提供するものである。
【００２２】
請求項１５の発明においては、個人認証装置を有し、個人認証を行なうことでプログラムの起動がなされることで、セキュリティの問題を解決し、使い勝手のよい禁煙支援装置を提供するものである。
【発明の効果】
【００２３】
本発明は上記実施の形態より明らかなように、扱いが簡便な禁煙支援プログラムを有する禁煙支援システムを実現することができる。
【発明を実施するための最良の形態】
【００２４】
以下、本発明の実施について、図１〜図１３を用いて説明する。
【００２５】
（実施の形態１）
図１は本発明の第１の実施の形態における禁煙支援装置のブロック図とアルゴリズムである。
【００２６】
図１（ａ）のブロック図において、禁煙者は、演算装置２に接続された操作部１に何らかの入力をすることで、メッセージの要求を行なう。演算装置２は操作部１からの信号によりメッセージを表示部３に表示する。アルゴリズムとしては図１（ｂ）のようになる。従来例に比較し、禁煙者は喫煙要求を自覚しこれに決められた手法で対応することで喫煙欲求から気持ちをそらすことができるようになる。さらに詳しい例については、実施の形態２以降に説明する。
【００２７】
（実施の形態２）
図２は本発明の第２の実施の形態における禁煙支援装置のアルゴリズムの一例である。禁煙者が喫煙欲求を感じた際に禁煙支援装置に対し、メッセージを要求する。これに対し禁煙支援装置（ブロック図は実施の形態１と同様）は、演算装置によりメッセージを表示するが、本実施の形態では複数のメッセージを蓄積するデータベース機能を備えており、ランダムもしくは決められた順番にメッセージを選択し、表示する。
【００２８】
メッセージにバリエーションを持たせることで、喫煙者の注意をよりそらすことができる。
【００２９】
（実施の形態３）
図３は本発明の第３の実施の形態における禁煙支援装置のアルゴリズムの一例である。本実施の形態においては、メッセージが表示されたあとに、禁煙者がタバコを「吸う」か「吸わない」かを入力する。
【００３０】
アルゴリズム（ａ）はメッセージが単一のもので、（ｂ）は複数のメッセージが表示される。
【００３１】
禁煙者自身が「吸う」「吸わない」を選択することで、より、禁煙に対するモチベーションを高めることができる。
【００３２】
（実施の形態４）
図４は、本発明の第４の実施の形態におけるアルゴリズムの一例であり、メッセージの表示がされたあとに、プログラムを自動的に終了させるものである。
【００３３】
（ａ）においては、なんらかのキー操作を行なうとプログラムが終了するもので、例えば、実施の形態３における「吸う」「吸わない」の入力を行なうことで、プログラムを終了させることができる。
【００３４】
また、（ｂ）においては、一定時間経ってからプログラムが自動的に終了するものである。
【００３５】
このようにプログラムが自動終了することで、禁煙者にかける負担を少なくし、長期にわかるプログラムの継続を可能にする。
【００３６】
（実施の形態５）
図５は本発明の第５の実施の形態におけるアルゴリズムの一例であり、（ａ）は表示メッセージが単一の場合、（ｂ）は表示メッセージが複数あり選択される場合である。どちらの場合においても「吸う」「吸わない」の選択をデータベースに記録することで、統計的に活用を図れるようにするものである。
【００３７】
（実施の形態６）
図６は本発明の第６の実施の形態におけるアルゴリズムの一例であり、表示されたメッセージについて、メッセージが喫煙を阻止するのに「有効であった」か「有効でなかった」かを入力するものである。さらに図７のアルゴリズムでは、「吸う」「メッセージは有効でなかったが吸わない」「メッセージが有効であり吸わない」の３つから選択入力する。これらにより、メッセージの有効性を把握できる。入力されたデータはデータベースに記録され活用される。
【００３８】
（実施の形態７）
図８は本発明の第７の実施の形態におけるアルゴリズムの一例であり、実施の形態６におけるメッセージの有効性をメッセージデータベースにフィードバックするものである。このことにより、禁煙者の喫煙欲求に対し有効なメッセージを選択して表示することが可能となり、喫煙阻止の効力を高めることができる。
【００３９】
（実施の形態８）
図９は本発明の第８の実施の形態におけるアルゴリズムの一例であり、禁煙者が本装置を稼働させたときの喫煙／喫煙阻止についての統計を表示するものである。統計値を表示することで、禁煙者の意識を高め、喫煙をより阻止することが可能となる。
【００４０】
（実施の形態９）
図１０は本発明の実施の形態９における、禁煙支援装置のブロック図とアルゴリズムの一例である。
【００４１】
本実施の形態においては、禁煙支援装置本体（端末と称する）５の通信装置４とサーバ９の通信装置６とが何らかの通信手段を介して接続されており、端末５は通信手段を介してサーバ９内のデータベース８よりメッセージを入手し、表示する。
【００４２】
この実施の形態においては、新規メッセージの補充や、古いメッセージの削除などが用意になるという利点を有する。
【００４３】
（実施の形態１０）
図１１は本発明の実施の形態１０における禁煙支援装置のアルゴリズムの一例である。
【００４４】
本実施の形態において、サーバのデータベースはメッセージデータベースのほかに、禁煙者がタバコを「吸った」「吸わなかった」の選択情報をも管理する。このため情報の一元管理が可能となる。
【００４５】
（実施の形態１１）
図１２は本発明の実施の形態１１における禁煙支援装置のアルゴリズムの一例である。
【００４６】
本実施の形態においては、サーバに蓄積されたデータを統計的に処理し、端末に送り表示する。このことにより、他の禁煙者の状況がわかるため、禁煙者の禁煙に対する意欲を増大させることができる。
【００４７】
上記のような禁煙支援装置は、一例として、パソコンや携帯電話により実現が可能であるが、これらに限定されるものではなく、入力、表示、演算が可能なすべての機器において実現が可能である。
【００４８】
（実施の形態１２）
図１３は本発明の実施の形態１２における禁煙支援装置ブロック図の一例である。
【００４９】
図１３においては、実施の形態１の図１に比較して、個人認証装置１０が付加されている点が異なる。
【００５０】
最近のパソコンなどの電子機器においては、セキュリティを高めるために、なんらかの操作もしくは時間制限によりロックがかかる仕組みを備えたものが多い。
【００５１】
これらのセキュリティロックを解除するためには、操作部から複数文字のパスワードを入力することが必要となるが、これらの手順を踏んでから禁煙支援プログラムを起動させるのは手間がかかるため、禁煙者が面倒になり実施率が下がることが懸念される。
【００５２】
本実施の形態では、指紋認証などの個人認証装置を備え、ロック解除を行なうとともに、禁煙支援プログラムを起動させることで、手間を省き、禁煙者の実施を促すものである。
【産業上の利用可能性】
【００５３】
本発明にかかる禁煙支援装置は扱いが簡便な禁煙支援プログラムを有する禁煙支援システムを実現することが可能になるので、禁煙を志望する禁煙者を支援するための禁煙支援装置および装置に搭載されたプログラムとして有用である。
【図面の簡単な説明】
【００５４】
【図１】本発明の第１の実施の形態における禁煙支援装置のブロックおよびアルゴリズムの一例を示す図
【図２】本発明の第２の実施の形態における禁煙支援装置のアルゴリズムの一例を示す図
【図３】本発明の第３の実施の形態における禁煙支援装置のアルゴリズムの一例を示す図
【図４】本発明の第４の実施の形態における禁煙支援装置のアルゴリズムの一例を示す図
【図５】本発明の第５の実施の形態における禁煙支援装置のアルゴリズムの一例を示す図
【図６】本発明の第６の実施の形態における禁煙支援装置のアルゴリズムの一例を示す図
【図７】本発明の第６の実施の形態における禁煙支援装置の別のアルゴリズムの一例を示す図
【図８】本発明の第７の実施の形態における禁煙支援装置のアルゴリズムの一例を示す図
【図９】本発明の第８の実施の形態における禁煙支援装置のアルゴリズムの一例を示す図
【図１０】本発明の第９の実施の形態における禁煙支援装置のブロック図およびアルゴリズムの一例を示す図
【図１１】本発明の第１０の実施の形態における禁煙支援装置のアルゴリズムの一例を示す図
【図１２】本発明の第１１の実施の形態における禁煙支援装置のアルゴリズムの一例を示す図
【図１３】本発明の第１２の実施の形態における禁煙支援装置のブロック図の一例を示す図
【符号の説明】
【００５５】
１    操作部
２    演算装置
３    表示部
４    通信装置
５    端末
６    通信装置
７    演算装置
８    データベース
９    サーバ
１０    個人認証装置
【図１】
2006190013.tif 000003
【図２】
2006190013.tif 000004
【図３】
2006190013.tif 000005
【図４】
2006190013.tif 000006
【図５】
2006190013.tif 000007
【図６】
2006190013.tif 000008
【図７】
2006190013.tif 000009
【図８】
2006190013.tif 000010
【図９】
2006190013.tif 000011
【図１０】
2006190013.tif 000012
【図１１】
2006190013.tif 000013
【図１２】
2006190013.tif 000014
【図１３】
2006190013.tif 000015